(57)【要約】【課題】近隣の住民に迷惑をかけることなく施工でき、しかも極めて簡単に短時間で構築することが可能な壁パネルを提供する。【解決手段】縦長の長方形状の板材であって幅方向に並設された複数枚のパネル部材２と、梁等の底面に対して設けられ、下面に複数枚のパネル部材２の上端部分が嵌め込まれる上側溝部１３が形成された上側受枠３と、床材等に対して設けられ、上面に、複数枚のパネル部材２の下端部分が嵌め込まれる下側溝部１４が形成された下側受枠４と、床材と下側受枠４との間に介装され、下側受枠４の高さ調節により梁と床材との間で複数枚のパネル部材２を突っ張った状態で支持するアジャスターボルト５とを具備する。【選択図】    図１
2006138106.tif 000002
【特許請求の範囲】
【請求項１】
縦長の長方形状の板材であって幅方向に並設された複数枚のパネル部材と、
天井または梁等の上側建築構造物の底面に対して設けられ、下面に、前記複数枚のパネル部材の上端部分が嵌め込まれる上側溝部が形成された上側受枠と、
床材等の下側建築構造物に対して設けられ、上面に、前記複数枚のパネル部材の下端部分が嵌め込まれる下側溝部が形成された下側受枠と、
前記上側建築構造物と前記上側受枠との間、または前記下側建築構造物と前記下側受枠との間の少なくともいずれか一方に介装され、前記上側受枠または前記下側受枠の高さ調節により前記上側建築構造物と前記下側建築構造物との間で前記複数枚のパネル部材を突っ張った状態で支持するアジャスターボルトと
を具備することを特徴とする壁パネル。
【請求項２】
前記上側受枠または前記下側受枠に取付けられ、前記アジャスターボルトを遮蔽する遮蔽用横板をさらに備えることを特徴とする請求項１に記載の壁パネル。
【請求項３】
前記パネル部材は無垢材で形成されていることを特徴とする請求項１または請求項２に記載の壁パネル。
【請求項４】
前記パネル部材の側面に形成され、隣接する前記パネル部材同士を嵌合させるための嵌合部をさらに備えることを特徴とする請求項１〜３のいずれか一つに記載の壁パネル。
【請求項５】
並設された前記複数枚のパネル部材のうち、両端に位置するパネル部材の外側側面に取付けられた側面化粧枠をさらに備えることを特徴とする請求項１〜４のいずれか一つに記載の壁パネル。
【発明の詳細な説明】
【技術分野】
【０００１】
本発明は、壁パネルに関し、特に、マンションや住宅のリフォームに際し、壁面や間仕切り壁として構築される木製の壁パネルに関するものである。
【背景技術】
【０００２】
従来より、マンション等の室内リフォームにおいて、クロスが貼られた壁面の上から、木製の壁パネルを貼り付け、木目により自然の雰囲気を醸し出すことが行われている。
【０００３】
この壁パネルは、例えば縦長の長方形状のパネル部材を幅方向に複数枚並べることにより構築されており、現場では、まず、夫々のパネル部材の長さ（高さ）を、壁面の高さ、すなわち室内の天井面または梁等から床材等までの長さに合うように切断し、その後、夫々のパネル部材を、接着剤を用いて壁面に貼り付けるようにしている。また、接着する代わりに、クロスが貼られた壁面に対してパネル部材を釘で打ちつける場合もある。
【０００４】
なお、出願人は、この従来技術が記載された文献を知見していない。
【発明の開示】
【発明が解決しようとする課題】
【０００５】
しかし、上記の壁パネルによれば、施工する際、複数枚のパネル部材を現場の状況（例えば壁面の高さ）に合せて切断加工しなければならないため、切断機等を持ち込んだ大掛かりな工事が必要になるとともに、切り屑や騒音の発生により顧客または近隣の住民に迷惑をかける恐れがあった。
【０００６】
また、複数枚のパネル部材を、一枚ずつ接着剤を用いて貼り付けることから、施工に手間がかかり、短時間で完成させることができなかった。しかも、寸法精度が良好となり難いことから、作業者の負担が大きくなるとともに専門の施工技術が必要となり、ひいては施工にかかる費用が嵩んでいた。また、傾いた状態で貼着された場合等、施工ミスがあった場合には、そのパネル部材を剥がす作業が加わり、作業効率がさらに悪くなっていた。
【０００７】
なお、パネル部材を釘で打ち付ける場合には、接着剤で貼着する場合よりも強固に取付けることができるとともに、手間もある程度は軽減されるものの、これによれば、壁面に直接、釘を打つことから大きな騒音が発生し、近隣の住民に迷惑がかかることが懸念される。
【０００８】
そこで、本発明は、上記の実状に鑑み、近隣の住民に迷惑をかけることなく施工でき、しかも極めて簡単に短時間で構築することが可能な壁パネルの提供を課題とするものである。
【課題を解決するための手段】
【０００９】
請求項１の発明は、
縦長の長方形状の板材であって幅方向に並設された複数枚のパネル部材と、
天井または梁等の上側建築構造物の底面に対して設けられ、下面に、前記複数枚のパネル部材の上端部分が嵌め込まれる上側溝部が形成された上側受枠と、
床材等の下側建築構造物に対して設けられ、上面に、前記複数枚のパネル部材の下端部分が嵌め込まれる下側溝部が形成された下側受枠と、
前記上側建築構造物と前記上側受枠との間、または前記下側建築構造物と前記下側受枠との間の少なくともいずれか一方に介装され、前記上側受枠または前記下側受枠の高さ調節により前記上側建築構造物と前記下側建築構造物との間で前記複数枚のパネル部材を突っ張った状態で支持するアジャスターボルトと
を具備することを特徴とするものである。
【００１０】
請求項１の発明によれば、上側建築構造物（例えば梁）の下方に上側受枠が配設され、その上側受枠と対向するように下側建築構造物（例えば床面）の上方に下側受枠が配設され、さらにそれらの間に、複数枚のパネル部材が幅方向に並設されている。ここで、上側受枠の下面には、下方に向かって開口する上側溝部が形成され、下側受枠の上面には、上方に向かって開口する下側溝部が形成されているため、夫々のパネル部材は、上端部分が上側溝部に嵌め込まれ、下端部分が下側溝部に嵌め込まれた状態、すなわち、上側受枠と下側受枠との間で挟まれた状態で支持される。
【００１１】
特に、上側溝部及び下側溝部は、上側受枠及び下側受枠において長手方向に貫通して形成されているため、施工する際には、夫々のパネル部材を、上側溝部及び下側溝部の左右いずれか一方の端部から差込むとともに、それらの溝部に沿ってスライド移動させることが可能になる。つまり、上側受枠と下側受枠との間隔を、パネル部材の高さに合せるように保持すれば、それらの間に複数のパネル部材を順に送り込み、複数のパネル部材からなる平面状の大きな壁を構築することが可能になる。
【００１２】
ところで、上側建築構造物と上側受枠との間、または下側建築構造物と下側受枠との間には、上側受枠または下側受枠の高さ、すなわち上側受枠と下側受枠との間隔を調節するためのアジャスターボルトが介装されているため、上側受枠及び下側受枠によって挟持された複数枚のパネル部材を、アジャスターボルトの調節により、突っ張った状態で固定させることが可能になる。
【００１３】
このため、接着剤を用いることなく、しかも建物の壁面に対して釘を打つことなく、壁パネルを構築することができる。また、アジャスターボルトによって高さが調節されることから、パネル部材の高さに関しては、壁面の高さに合せた高精度の加工が不要となる。したがって、工場等でプレカットされたパネル部材を現場に搬入することが可能になる。
【００１４】
請求項２の発明は、前記上側受枠または前記下側受枠に取付けられ、前記アジャスターボルトを遮蔽する遮蔽用横板をさらに備えることを特徴とするものである。
【００１５】
請求項２の発明によれば、遮蔽用横板によってアジャスターボルトが遮蔽される。つまり、高さ調節用のアジャスターボルトが露出されないため、アジャスターボルトによる美観の低下を防止することができる。
【００１６】
請求項３の発明は、前記パネル部材は無垢材で形成されていることを特徴とするものである。
【００１７】
請求項３の発明によれば、パネル部材が無垢材で形成されているため、視覚的に自然の雰囲気を醸し出すことに加え、木材特有の香りによって癒しの空間を提供することが可能となる。また、調湿効果も高められ、一層快適な空間を提供することが可能になる。
【００１８】
請求項４の発明は、前記パネル部材の側面に形成され、隣接する前記パネル部材同士を嵌合させるための嵌合部をさらに備えることを特徴とするものである。換言すれば、一方の当接面に凹部が形成され、他方の当接面に凸部が形成されていることを特徴とする。
【００１９】
請求項４の発明によれば、施工の際、上側受枠及び下側受枠の間にパネル部材が順に送り込まれると、隣接するパネル部材の当接面に形成された凹部及び凸部が互いに嵌合され、パネル部材同士の間に隙間がなくなった状態となる。したがって、複数のパネル部材から構築されているにも拘わらず、境目が目立たなくなり、見栄えをさらに高めることが可能になる。
【００２０】
請求項５の発明は、並設された前記複数枚のパネル部材のうち、両端に位置するパネル部材の外側側面に取付けられた側面化粧枠をさらに備えることを特徴とするものである。
【００２１】
請求項５の発明によれば、両端に位置するパネル部材の外側側面に、側面化粧枠が装着されるため、パネル部材の木口における意匠性を高め、高級感を生じさせることができる。
【発明の効果】
【００２２】
このように、本発明の壁パネルによれば、切り屑や騒音を発生させることなく施工できるため、近隣の住民に迷惑をかけることなく構築することができる。また、複数枚のパネル部材を極めて簡単な作業によって支持することができるため、極めて短時間で構築できるとともに、施工に不慣れな作業者でも容易に組み立てることができ、ひいては施工の低廉化を図ることができる。
【発明を実施するための最良の形態】
【００２３】
以下、本発明の第一実施形態である壁パネルについて、図１乃至図３に基づき説明する。図１は壁パネルの構成を示す分解斜視図であり、図２は壁パネルの構成を示す横断面図であり、図３は壁パネルにおけるパネル部材の構成を示す平面図である。
【００２４】
本例の壁パネル１は、例えばマンションのリフォームの際に、梁と床材との間に構築されるものであり、図１に示すように、複数枚のパネル部材２と、パネル部材２の上端部分及び下端部分を夫々支持する上側受枠３及び下側受枠４と、下側受枠４の高さを調節するための複数のアジャスターボルト５と、アジャスターボルト５を遮蔽する巾木６と、両端に位置するパネル部材２の外側側面を覆う一対の側面化粧枠７とから構成されている。また、並設する複数枚のパネル部材２を横切るように、室内側に向かって突出する平板状の棚板８が取付けられる場合もある。
【００２５】
各構成について詳しく説明する。パネル部材２は、縦長の長方形の板材であり、その寸法は特に限定されるのではないが、本例では幅が２４０ｍｍ、板厚が２２ｍｍの板材が用いられている。パネル部材２の高さは、施工対象となる壁面の高さ、すなわち図２に示すように床材Ｙの上面に対する梁Ｈの底面の高さに応じて設定される。このパネル部材２は、間伐材、特にカラマツ等の無垢材から形成されている。また、図３に示すように、パネル部材２の両側面には、隣接するパネル部材２同士を嵌合させるための嵌合部として、凸部１０及び凹部１１が形成されており、複数のパネル部材２を幅方向に並設させると、一方のパネル部材２における凸部１０と、それに隣接する他方のパネル部材２における凹部１１とが嵌合し、複数のパネル部材２は隙間を生じさせることなく接合される。
【００２６】
上側受枠３は、横長のレール状の部材であり、梁Ｈの底面に当接して配設される。上側受枠３の長さは、パネル部材２の幅の略整数倍（例えば１０倍）に設定されており、複数枚のパネル部材２を並設させた状態で支持することを可能にしている。図２に示すように、上側受枠３の底面には、長手方向に貫通する矩形の上側溝部１３が形成されており、複数のパネル部材２の上端部分が嵌め込まれるようになっている。
【００２７】
一方、下側受枠４は、上側受枠３と対向するように、床材Ｙ近傍に配設されるレール状の部材である。つまり、下側受枠４の長さは上側受枠３と等しく上側受枠３と並行になるように配設される。下側受枠４の上面には、長手方向に貫通する矩形の下側溝部１４が形成されており、複数のパネル部材２の下端部分が嵌め込まれるようになっている。すなわち、施工の際、夫々のパネル部材２を、上側溝部１３及び下側溝部１４の左右いずれか一方の端部から差込むとともに、それらの上側溝部１３及び下側溝部１４に沿ってスライド移動させることが可能となっている。また、下側受枠４の下面には、アジャスターボルト５の先端部分が挿入される挿入孔１６が穿設されている。
【００２８】
アジャスターボルト５は、下側受枠４の底面に固定されたアジャスターベース１５に螺合されており、八角レンチ等の工具を用いて回転させることにより、下側受枠４の底面からの突出長さが変化する。換言すれば、アジャスターボルト５の下端は床材Ｙに接地しているため、アジャスターボルト５を回転させることによりアジャスターベース１５及び下側受枠４が上下方向に送られ、下側受枠４の高さ、すなわち上側受枠３と下側受枠４との間隔が変化するようになっている。
【００２９】
巾木６は、本発明の遮蔽用横板に相当するものであり、アジャスターボルト５に対して室内側を塞ぐことにより、アジャスターボルト５が露出されることを防止している。この巾木６は、アジャスターボルト５によって下側受枠４の高さ調節が終わった後、下端が床材Ｙに接した状態で立設され、その上部側が下側受枠４の正面下部に固定されるものである。なお、下側受枠４の正面側下部には、巾木６の板厚分だけ奥方向に窪んだ段部１７が形成されているため、下側受枠４に巾木６を取付けても、巾木６が前方に突出することがない。
【００３０】
次に、壁パネル１の施工方法について説明する。まず、上側受枠３を梁Ｈの下方に配設するとともに、アジャスターボルト５が取付けられた下側受枠４を床材Ｙ上に載置する。この際、上側受枠３及び下側受枠４が並行となり、上側受枠３の上側溝部１３と下側受枠４の下側溝部１４とが対向するように配設される。その後、一枚のパネル部材２の上端部分及び下端部分を上側溝部１３及び下側溝部１４に差し込むように、上側受枠３と下側受枠４との間に挿入させる。この際、そのパネル部材２の一側面と上側受枠３及び下側受枠４の一端面が連続する同一面となるように、上側受枠３及び下側受枠４に対してパネル部材２を位置決めする。なお、位置決め後、釘等を用いて仮固定させておくことが好ましい。
【００３１】
続いて、残りのパネル部材２を上側受枠３及び下側受枠４の間に挿入する。具体的には、上側溝部１３及び下側溝部１４の一端側は位置決めされたパネル部材２によって閉鎖されているため、開放された他端側からパネル部材２を一枚ずつ順番に差し込むとともに、差し込まれたパネル部材２を幅方向にスライド移動させ、隣合うパネル部材２の側面同士を接合させる。この際、パネル部材２の側面には、凸部１０及び凹部１１が形成されているため、対向する凸部１０及び凹部１１が嵌合し、複数枚のパネル部材２が平面状に接合された状態となる。
【００３２】
その後、複数のアジャスターボルト５を回転させることにより下側受枠４を上昇させ、上側受枠３と下側受枠４との間隔を狭くする。これにより、複数枚のパネル部材２は、梁Ｈによって上方への動きが規制された上側受枠３と、アジャスターボルト５によって下方への動きが規制された下側受枠４との協働により、挟持された状態、すなわち突っ張った状態で固定される。
【００３３】
次に、巾木６を下側受枠４に取付ける。これによりアジャスターボルト５が巾木６によって遮蔽される。また、両側に位置するパネル部材２の外側側面と、上側受枠３及び下側受枠４の両端面とを覆うように、一対の側面化粧枠７を取付ける。なお、巾木６及び側面化粧枠７を固定させる手段としては、接着剤を用いてもよく、釘を用いてもよい。また、必要に応じて棚板８を取付けることも可能であり、この場合には取付金具（図示しない）が用いられる。
【００３４】
このように、本例の壁パネル１によれば、上側受枠３及び下側受枠４によって挟持された複数枚のパネル部材２を、アジャスターボルト５の調節により、突っ張った状態で固定させることができる。このため、接着剤を用いることなく、しかも建物の壁面に対して釘を打つことなく、壁パネル１を構築することができるようになる。したがって極めて簡単で且つ騒音等を発生させることなく施工することができる。特に、複数枚のパネル部材２を極めて簡単な作業によって突っ張らせることができるため、短時間で構築できるとともに、施工に不慣れな作業者でも容易に組み立てることができるようになる。なお、参考までに、図１に示す構成の壁パネル１であれば、１５分〜３０分程度で施工することが可能となる。また、パネル部材２の高さに関しては壁面の高さに合せた高精度の加工が不要となるため、工場等でプレカットされたパネル部材を現場に搬入することが可能になり、切り屑等の発生を防止することもできる。  
【００３５】
また、本例の壁パネル１によれば、巾木６によってアジャスターボルト５が遮蔽されるため、アジャスターボルト５による美観の低下を防止することができる。また、両端に位置するパネル部材２の外側側面に、側面化粧枠７が装着されるため、パネル部材２の木口における意匠性を高め、高級感を生じさせることができる。
【００３６】
また、本例の壁パネル１によれば、施工の際、上側受枠３及び下側受枠４の間にパネル部材２が順に送り込まれると、隣接するパネル部材２の当接面に形成された凸部１０及び凹部１１が互いに嵌合され、パネル部材２同士の隙間がなくなった状態となる。したがって、複数のパネル部材２から構築されているにも拘わらず、境目が目立たなくなり、見栄えをさらに高めることができる。
【００３７】
さらに、本例の壁パネル１によれば、パネル部材２、上側受枠３及び下側受枠４が無垢材で形成されているため、視覚的に自然の雰囲気を醸し出すことに加え、木材特有の香りによって癒しの空間を提供することが可能となる。また、調湿効果も高められ、一層快適な生活空間を提供することが可能になる。
【００３８】
次に、本発明の第二実施形態である壁パネルについて、図４及び図５に基づき説明する。図４は壁パネルの構成を示す正面図であり、図５はその縦断面図である。なお、第一実施形態の壁パネル１と同様の構成については同一の番号を付し詳細な説明を省略する。
【００３９】
本例では、幅方向に並設される複数枚のパネル部材のうち、両端に配置されるパネル部材は、第一実施形態のパネル部材２と同様であるが、その他のパネル部材には、高さ方向の中央付近よりやや上方に切欠２１が形成されている。具体的には、右側から切り欠かれたパネル部材２０ａと、左側から切り欠かれたパネル部材２０ｂとが対となって配置されており、隣合うパネル部材２０ａ，２０ｂの間に矩形の開口を形成している。そして、夫々の開口内には、パネル部材２０ａ，２０ｂから建物の壁面側に突出するボックス２２が嵌め込まれている。このボックス２２は、前面のみが開放されており、装飾品を載置するための装飾箱として用いられるものである。
【００４０】
ところで、このようなボックス２２を備える場合には、ボックス２２が壁面側に突出することから、パネル部材２，２０ａ，２０ｂが壁面から離間した状態で施工されることとなる。つまり、隙間が形成されて側方からの見栄えを損ねる恐れがある。そこで、本例では、パネル部材２の背面側に遮蔽用側板２３を設け、パネル部材２，２０ａ，２０ｂの後方の空間が露出されないようにしている。
【００４１】
また、本例では、パネル部材２の後方で、且つ遮蔽用側板２３よりも外側の位置に、蛍光灯２４が配設されており、間接照明としての機能も備えている。これにより、光によるイリュージョンを演出することが可能になる。
【００４２】
ところで、第二実施形態では、パネル部材２０ａ，２０ｂに切り欠きを形成し、ボックス２２を埋め込むものを示したが、図６に示すように、パネル部材２とは別に構成された棚ユニット３０を、パネル部材２に並設させるように構成してもよい。なお、この棚ユニット３０は、一対の側板部材３１と背面部材３２とから断面コ字形に形成された収納空間を形成するとともに、収容空間内には上下方向に区画する複数枚の可動棚３３が高さ調節可能に取付けられている。これによれば、壁面に沿って大きな収納空間を形成することが可能になり、利便性を向上させることができる。
【００４３】
また、第一実施形態及び第二実施形態では、梁Ｈと床材Ｙとの間に壁パネル１を構築するものを示したが、天井と床材Ｙとの間に壁パネル１を構築するようにしてもよい。
【００４４】
また、第一実施形態及び第二実施形態では、壁パネル１を壁面として利用するものを示したが、室内空間を区画するための間仕切りとして利用することも可能である。この場合には、壁パネル１の両面が露出されるため、アジャスターボルト５の両側に巾木６を設けることが好ましい。さらに、壁パネル１を間仕切りとして構築する場合には、パネル部材２の一部に開口を形成し、窓として利用することも可能である。
【００４５】
さらに、第一実施形態及び第二実施形態では、下側受枠４と床材Ｙとの間にアジャスターボルト５を介装するものを示したが、上側受枠３と梁Ｈとの間にアジャスターボルト５を介装するようにしてもよい。ただし、本例のように、アジャスターボルト５を壁パネル１の下端に配設するようにすれば、調節作業が容易であり、施工時間をさらに短縮することが可能となる。
【図面の簡単な説明】
【００４６】
【図１】第一実施形態における壁パネルの構成を示す分解斜視図である。
【図２】第一実施形態における壁パネルの構成を示す横断面図である。
【図３】壁パネルにおけるパネル部材の構成を示す平面図である。
【図４】第二実施形態における壁パネルの構成を示す正面図である。
【図５】第二実施形態における壁パネルの構成を示す縦断面図である。
【図６】壁パネルに棚ユニットを組合わせた場合を示す正面図である。
【符号の説明】
【００４７】
１  壁パネル
２  パネル部材
３  上側受枠
４  下側受枠
５  アジャスターボルト
６  巾木（遮蔽用横板）
７  側面化粧枠
８  棚板
１０  凸部（嵌合部）
１１  凹部（嵌合部）
１３  上側溝部
１４  下側溝部
Ｈ  梁（上側建築用構造物）
Ｙ  床材（下側建築用構造物）
【図１】
2006138106.tif 000003
【図２】
2006138106.tif 000004
【図３】
2006138106.tif 000005
【図４】
2006138106.tif 000006
【図５】
2006138106.tif 000007
【図６】
2006138106.tif 000008